(57)【特許請求の範囲】
【請求項１】
炭素数が６以下のアルコール２０〜３８．６重量％と、炭素数が４以下の低級アルコールと有機酸とのエステル４０〜５７．９重量％と、トリエタノールアミンと、界面活性剤１〜４０重量％を有効成分として含有する油性染み抜き用組成物。
【請求項２】
前記炭素数が６以下のアルコールが、イソプロピルアルコール、プロピルアルコール、ブチルアルコール、イソブチルアルコール及び第３級ブチルアルコールよりなる群から選択されるものである請求項１に記載の油性染み抜き用組成物。
【請求項３】
前記低級アルコールと有機酸とのエステルが、酢酸ブチルまたは酢酸エチルから選択されるものである請求項１または２に記載の油性染み抜き用組成物。
【請求項４】
口紅またはファンデーションの染み抜きに用いられる請求項１乃至３のいずれかに記載の油性染み抜き用組成物。
【請求項５】
炭素数が６以下のアルコールと、炭素数が４以下の低級アルコールと有機酸とのエステルと、トリエタノールアミンと、界面活性剤を有効成分として含有し、かつ、炭素数が６以下のアルコールと、炭素数が４以下の低級アルコールと有機酸とのエステルとの配合比率が、３：２から１：４の範囲である油性染み抜き用組成物。
【発明の詳細な説明】
【０００１】
【産業上の利用分野】
この発明は、主として衣服などに付着した油性のシミ汚れを除去するのに適した染み抜き用組成物に関するものである。
【０００２】
【従来の技術】
従来、染み抜き用組成物としてベンジンを有効成分とし、主として衣服などに付着した油性のシミ汚れを除去するためのものがあった。このものは、衣服のシミの部分に滴下して油脂や口紅などの油性の汚れを繊維から溶出させ、他の布やティッシュ・ペーパーで拭い取るのである。
【０００３】
ところで、最近唇から落ちにくいタイプの口紅が増えてきている。このタイプの口紅は、コーヒー・カップ等の口を付けた部分に付着しにくいとともに、口紅を塗る頻度を減少させることができる。
【０００４】
しかし、このような口紅が衣服などに付着して形成されたシミは、落ちにくいという機能の故に従来の染み抜き用組成物では十分な除去が困難であるという問題があった。
【０００５】
【発明が解決しようとする課題】
そこで、この発明は、通常の油性シミ汚れと共に落ちにくいタイプの口紅などのように除去が困難なシミでも、従来よりもきれいに除去することができる染み抜き用組成物を提供しようとするものである。
【０００６】
【課題を解決するための手段】
本発明者は前記課題を解決すべく鋭意研究を行った結果、炭素数が６以下のアルコールと、低級アルコールと有機酸とのエステルとを有効成分として含有せしめることにより、通常の油性シミ汚れと共に落ちにくいタイプの口紅などのように除去が困難なシミでも好適に除去することができることを見出し、この発明を完成したものである。
【０００７】
本発明の染み抜き用組成物は、炭素数が６以下のアルコールと、低級アルコールと有機酸とのエステルと、トリエタノールアミンとを有効成分として含有せしめてなるものである。炭素数が６以下のアルコールと、炭素数が４以下の低級アルコールと有機酸とのエステルとの配合比率は約３：２から約１：４の範囲が洗浄力の点で好ましい。約５：０から３：２の範囲では極性の低い汚れが落ち難く、約１：４から０：５の範囲では極性の高い汚れが落ち難いからである。
【０００８】
アルコールの炭素数が６を越えると、その使用時における蒸発分の吸引によって人体に悪影響を及ぼす可能性がでてくるとともに常温で固形状となるので染み抜き剤としては扱いにくく、またコストが上がるという欠点が生ずる。この炭素数が６以下のアルコールとして、例えばイソプロピルアルコール、プロピルアルコール、ブチルアルコール、イソブチルアルコール、第３級ブチルアルコールなどを選択して実施することができる。イソプロピルアルコールを選択すると、上記の三点において好適に使用することができる。なお、このイソプロピルアルコールは極性が高いという性質を有している。
【０００９】
炭素数が４以下の低級アルコールと有機酸とのエステルとして、例えば酢酸ブチル、酢酸エチルなどを選択して実施することができる。この中で酢酸ブチルを選択して実施すると、落ち難いタイプの口紅の染みを非常に落としやすく、且つ生地を傷めにくいとともに色落ちを起こしにくいという利点がある。なお、酢酸ブチルは、イソプロピルアルコールよりは極性が低いがベンジンよりは極性が高いという性質を有している。
【００１０】
この発明の染み抜き用組成物は、炭素数が６以下のアルコールを約２０〜６０重量％と、炭素数が４以下の低級アルコールと有機酸とのエステルを約４０〜８０重量％とを有効成分として含有する。
【００１１】
また、界面活性剤を、約１〜４０重量％、好ましくは約１〜１０重量％含有することとして実施することもできる。布地などの繊維への染み抜き用組成物の浸透力を高め、また、汚れ成分を包み込んで繊維から離脱しやすくするとともに、繊維への再付着を防止することができる。これにより、衣類等のシミ汚れの除去性能をさらに向上させることができる。なお、界面活性剤は揮発性が低いため、あまり多く配合すると布地にシミとなって残ってしまう恐れがある。界面活性剤を約１０重量％以下とすると、水を含ませた布等で輪ジミを残さずにシミを落とすことができるという利点がある。
【００１２】
界面活性剤は、陰イオン界面活性剤、陽イオン界面活性剤、非イオン界面活性剤、両性界面活性剤、それぞれ単独或いは複数を組み合わせて用いることができる（但し、陰イオン界面活性剤と陽イオン界面活性剤との組合せを除く）。
【００１３】
陰イオン界面活性剤として、例えば高級アルコール硫酸エステル塩、ポリオキシエチレンアルキルエーテル硫酸エステル塩、ポリオキシエチレンアルキルフェニルエーテル硫酸エステル塩、多価アルコール脂肪酸エステル塩、脂肪酸アルカノールアミド硫酸エステル塩などのサルフェート系、アルキルアリルスルホン酸塩、アルカンスルホン酸塩、α−オレフィンスルホン酸塩、脂肪酸アミドスルホン酸塩などのスルホネート系、高級アルコールリン酸エステル塩、ポリオキシエチレンアルキルエーテルリン酸エステル塩などのフォスフェート系、それに脂肪酸塩などを選択できる。
【００１４】
非イオン界面活性剤として、例えば多価アルコールの脂肪酸エステル、ポリオキシエチレンアルキル（フェニル）エーテル、脂肪酸アルキロールアミド、アミンオキサイドなどを選択できる。
【００１５】
陽イオン界面活性剤として、例えば脂肪酸アミン塩、第４級アンモニウム塩、ポリオキシエチレンアルキルアミンなどを選択できる。
【００１６】
両性界面活性剤として、例えばイミダゾリン系、ベタイン系、アミノカルボン酸系などを選択できる。
【００１７】
【発明の効果】
この発明は上述のような構成を有するものであり、通常の油性シミ汚れと共に落ちにくいタイプの口紅などのように除去が困難なシミでも、従来よりもきれいに除去することができる染み抜き用組成物を提供することができる。
【００１８】
【実施例】
以下、この発明の構成を実施例により説明する。この実施例では、染み抜き用組成物として次のものを調整した。
【００１９】
（実施例）実施例１としてイソプロピルアルコールと酢酸ブチルとを約４：６の配合比率で混合したものを、実施例２としてイソプロピルアルコールと酢酸ブチルとを約４：６の配合比率で混合したものに対してポリオキシエチレンアルキルフェニルエーテルとトリエタノールアミンを少量混合したものを作製した。
【００２０】
実施例２のものの配合処方の詳細は、イソプロピルアルコールを３８．６重量％、酢酸ブチルを５７．９重量％、ポリオキシエチレンノニルフェニルエーテル（三洋化成工業社製、商品名ノニポール１６０）を３．０重量％、トリエタノールアミン（三井東圧化学社製、商品名Ｔ．Ｅ．Ａ）を０．５重量％である。
【００２１】
なお、ポリオキシエチレンノニルフェニルエーテルは界面活性剤として機能し、トリエタノールアミンは過酸化水素を併用する際の洗浄助剤（アルカリ剤）として働く。
【００２２】
（比較例）一方、比較例として次のものを調整した。
比較例１としてイソプロピルアルコール（単体）を、比較例２としてイソブチルアルコール（単体）を、比較例３として酢酸ブチル（単体）を、比較例４として石油系溶剤（リグロイン）を、比較例５として塩素系溶剤（１，１，１−トリクロロエタン）を、比較例６としてイソプロピルアルコールとリグロインを約４：６の割合いで配合したものを形成した。
【００２３】
なお、比較例４の石油系溶剤（リグロイン）は極性が低いという性質を有しており、比較例５の塩素系溶剤（１，１，１−トリクロロエタン）は一般的にドライ・クリーニングで使用されているもので、石油系溶剤（リグロイン）よりも極性が高い。
【００２４】
（評価試験）次に、上記の各実施例及び各比較例の染み抜き用組成物を用い、以下のような染み抜き性能に関する評価試験を行った。先ず、後述の三種のシミ汚れの元をそれぞれ綿布に付着せしめる。それから３時間経過して綿布に汚れが染み込みシミが形成された後、既述のようにして調整した各染み抜き用組成物を用いて染み抜きの処理を行なった。
【００２５】
染み抜き処理の方法は、綿布のシミの部分の裏側に当て布をあて、表側から染み抜き用組成物を収容した容器の口部で叩きつつ染み汚れを繊維から染み抜き用組成物中へと溶出させた後、水を含ませた他の布で染み抜き用組成物が含浸されている部分を叩くようにしてこれを拭き取るものである。三種の汚れの元として、次の(i)から(iii)のものを用いた。
(i)   落ちにくい口紅（カネボウ社製、商品名テスティモＴＰＫ−１）。
(ii)  一般的な口紅（資正堂社製、商品名レシェンテＰＫ４８４）。
(iii) 廃油（０．２５重量％の色素（ＯＩＬ ＲＥＤ ５Ｂ）を配合したもの）。
【００２６】
そして、染み抜き前の綿布の白色度、染み抜き試験後の綿布の白色度、染み抜き試験前の綿布の白色度をそれぞれ測定し、この測定値を用い、次述の汚れ除去率（％）の計算式により、シミ汚れの除去率（％）を算出した。
〔汚れ除去率（％）＝（試験後の白色度−試験前の白色度）÷（綿布の白色度−試験前の白色度）〕
なお、前記各白色度は測色色差計（日本電色工業社製、商品名ＳＺ−Σ８０ＯＦ−３型）を使用して測定した。試験結果を表１に示す。
【００２７】
【表１】
0003831839.tif 000002
【００２８】
表１に示すように、実施例１及び２の染み抜き用組成物の試験結果は各比較例のものと比較して、(i)の落ちにくい口紅の汚れ除去率（％）に関しては特に優れていることが分かる。また、実施例２の試験結果より、ポリオキシエチレンアルキルフェニルエーテルとトリエタノールアミンとをさらに混合したものは、より除去効果に優れたものとなることが分かる。
【００２９】
なお、この実施例の染み抜き用組成物が、落ちにくい口紅などの油系のシミ汚れの除去に特に優れている理由は、極性がある程度高いイソプロピルアルコールと、これよりは極性が低いがリグロインよりは極性が高い酢酸ブチルとの双方の相乗的な作用に起因するものと推定される。比較例１及び３の試験結果に示されるように、イソプロピルアルコールと酢酸ブチルとは、単体ではシミ汚れの除去効果はあまり期待できないのである。
【００３０】
次に、実施例２と比較例４の染み抜き用組成物を用い、上記と同様にして、通常のシミ汚れに対する染み抜き性能に関する評価試験を行った。
【００３１】
対象としたシミ汚れは、ファンデーション、バター、マヨネーズ、食用油、ラー油、ゴマ油である。シミ汚れの除去率（％）の試験結果を表２に示す。
【００３２】
【表２】
0003831839.tif 000003
【００３３】
表２に示すように、実施例２の染み抜き用組成物は通常の油性シミ汚れに対する染み抜き性能に関しても非常に優れていることが分かる。
【００３４】
すなわち、この実施例の染み抜き用組成物は通常の油性シミ汚れに対する染み抜き性能は従来のものと同等の性能を持ちながら、さらに、落ちにくいタイプの口紅などのように除去が困難なシミでも従来よりもきれいに除去することができるという利点を有する。